(57)【要約】【課題】  シャッターが開いたときにシャッターケース内への巻き込みを防止することのできるシャッター用シート体保持具を提供する。【解決手段】  磁石の磁着力によりシート体を挟持することのできる挟持部２０（例えばマグネットシート２３とマグネットシート２３に磁着し得る金属板２４とから構成される）を有する本体部２と、本体部２の背面側に設けられ、磁性体からなるシャッタースラットに磁着することのできる磁石部３と、本体部２の前部に設けられ、シャッターが開いたときに、シャッターケースの下面に当接し得る当接部３とからシャッター用シート体保持具１を構成する。【選択図】  図１
2005030131.tif 000002
【特許請求の範囲】
【請求項１】
磁石の磁着力によりシート体を挟持することのできる挟持部を有する本体部と、
前記本体部の背面側に設けられ、磁性体からなるシャッタースラットに磁着することのできる磁石部と、
前記本体部の前部に設けられ、シャッターが開いたときに、シャッターケースの下面に当接し得る当接部と
を備えたことを特徴とするシャッター用シート体保持具。
【請求項２】
前記当接部の上部は、前記本体部および前記磁石部の上面よりも上側に突出していることを特徴とする請求項１に記載のシャッター用シート体保持具。
【請求項３】
前記本体部における前記挟持部の一端は閉じており、もって前記挟持部はその一端を支点として開閉可能となっていることを特徴とする請求項１または２に記載のシャッター用シート体保持具。
【請求項４】
前記挟持部における磁着力は、前記磁石部のシャッタースラットに対する磁着力よりも強いことを特徴とする請求項１〜３のいずれかに記載のシャッター用シート体保持具。
【請求項５】
前記挟持部の磁石および／または前記磁石部は、可撓性を有するマグネットシートから構成されていることを特徴とする請求項１〜４のいずれかに記載のシャッター用シート体保持具。
【請求項６】
前記本体部は、多孔性の樹脂成形物から構成されていることを特徴とする請求項１〜５のいずれかに記載のシャッター用シート体保持具。
【請求項７】
前記シャッター用シート体保持具の正面は、情報伝達機能を有することを特徴とする請求項１〜６のいずれかに記載のシャッター用シート体保持具。
【請求項８】
前記シャッター用シート体保持具は、全体として横長の形状を有することを特徴とする請求項１〜７のいずれかに記載のシャッター用シート体保持具。
【発明の詳細な説明】
【技術分野】
【０００１】
本発明は、ポスター等のシート体を保持し、シャッターカーテンに取り付けることのできるシャッター用シート体保持具に関するものである。
【背景技術】
【０００２】
従来より、閉じた状態のシャッターが有するスペースを有効利用するために、シャッターカーテンの表面に店舗や製品の広告が描かれることがある。しかしながら、このような広告の描画は、一般的にシャッターカーテンの表面に塗料を手作業で塗ることにより行っていたため、その手間を考えると、容易に広告を替えることはできなかった。
【０００３】
近年は、広告を印刷した粘着シートをシャッターカーテンの表面に貼付することが行われるようになったが、シャッターカーテン用の粘着シートは製造コストが高く、したがって、短い周期で広告を替えることは依然として困難であった。
【０００４】
これに対し、シャッターカーテンがスチール製の場合には、マグネット（磁石のみまたは磁石と装飾部材とからなるもの）を使用すれば、通常の広告ポスターをシャッターカーテンに取り付けることが可能である。このようにマグネットを使用することにより、広告ポスターは取り付けおよび取り外しが自在となり、短い周期で広告を交換することが極めて容易となる。
【０００５】
ところが、上記のようにマグネットを使用して広告ポスターをシャッターカーテンに取り付けた場合、シャッターを開くときには、一旦マグネットおよび広告ポスターをシャッターカーテンから取り外す必要がある。そうしないと、マグネット（および広告ポスター）が、シャッターカーテンとともにシャッターケース内に巻き込まれてしまい、シャッターカーテンの巻取機構が壊れるおそれがある。
【０００６】
なお、一般的なマグネットに類似するものとして、特開平１０−５０５１６号公報（特許文献１）に示されるようなマグネットを利用したクリップが提案されているが、かかるクリップは粘着剤によってシャッターカーテンに貼着されることとなり、シャッターカーテンからその都度取り外すことができないため、ここでは使用することができない。
【特許文献１】特開平１０−５０５１６号公報
【発明の開示】
【発明が解決しようとする課題】
【０００７】
シャッターを開くときにマグネットをシャッターカーテンから取り外すことを忘れてしまった場合には、前述したようにシャッターカーテンの巻取機構が壊れるおそれがあり、最悪の場合にはシャッターカーテンの落下事故が発生する可能性がある。マグネットの取り外しはシャッターを開く度に行う必要があるため、マグネットの取り外し忘れは往々にして生じ得ることである。
【０００８】
本発明は、このような実状に鑑みてなされたものであり、シャッターが開いたときにシャッターケース内への巻き込みを防止することのできるシャッター用シート体保持具を提供することを目的とする。
【課題を解決するための手段】
【０００９】
上記目的を達成するために、本発明は、磁石の磁着力によりシート体を挟持することのできる挟持部を有する本体部と、前記本体部の背面側に設けられ、磁性体からなるシャッタースラットに磁着することのできる磁石部と、前記本体部の前部に設けられ、シャッターが開いたときに、シャッターケースの下面に当接し得る当接部とを備えたことを特徴とするシャッター用シート体保持具を提供する（請求項１）。
【００１０】
前記挟持部は、磁石と当該磁石が磁着し得る金属（磁性体）とを利用したものであってもよいし、相対向し互いに磁着し得る磁石を利用したものであってもよい。また、「本体部の前部」には、本体部前部の全体だけでなく、本体部前部の一部、例えば本体部前部の上部も含まれるものとする。
【００１１】
上記発明（請求項１）に係るシャッター用シート体保持具によれば、挟持部によってシート体を挟持した状態で磁石部をシャッタースラットに磁着させれば、所望のシート体をシャッターカーテンに取り付けることができる。このシート体は、挟持部から取り外すこと、または磁石部をシャッタースラットから取り外すことにより、自由な取り替えが可能である。
【００１２】
上記シャッター用シート体保持具をシャッターカーテンに取り付けた状態でシャッターカーテンを上昇させた場合、シャッター用シート体保持具における当接部がシャッターケースの下面に当接し、それによってシャッター用シート体保持具には下方への回転力が働き、その回転力によって磁石部がシャッタースラットから外れ、シャッター用シート体保持具はシャッターカーテンから離脱し落下する。したがって、本発明に係るシャッター用シート体保持具によれば、シャッター用シート体保持具がシャッターケース内に巻き込まれることによるシャッターカーテンの巻取機構の故障、ひいてはシャッターカーテンの落下事故を未然に防ぐことができる。
【００１３】
上記発明（請求項１）において、前記当接部の上部は、前記本体部および前記磁石部の上面よりも上側に突出しているのが好ましい（請求項２）。当接部をこのように構成することにより、本体部および磁石部よりも先に当接部をシャッターケースの下面に当接させることができ、したがってシャッター用シート体保持具をシャッターカーテンから確実に離脱させることが可能となる。
【００１４】
上記発明（請求項１，２）において、前記本体部における前記挟持部の一端は閉じており、もって前記挟持部はその一端を支点として開閉可能となっているのが好ましい（請求項３）。挟持部をこのように構成することにより、シート体の挟持を簡単に行うことができるとともに、当接部がシャッターケースの下面に当接したときに、挟持部が２つに分断されて磁石部および本体部の一部がシャッターカーテンに残存し、それらがシャッターケース内に巻き込まれることを防止することができる。
【００１５】
上記発明（請求項１〜３）において、前記挟持部における磁着力は、前記磁石部のシャッタースラットに対する磁着力よりも強いのが好ましい（請求項４）。それぞれの磁着力をこのように設定することにより、挟持部が分断可能な構成であったとしても、当接部がシャッターケースの下面に当接したときに、挟持部が分断される前に磁石部がシャッタースラットから外れるため、磁石部および本体部の一部がシャッターカーテンに残存してそれらがシャッターケース内に巻き込まれることを防止することができる。また、挟持部がその一端を支点として開閉可能となっている場合に、挟持部の上側が開き得る状態でシャッター用シート体保持具を使用したとしても、当接部がシャッターケースの下面に当接したときに、挟持部が開くことなく磁石部がシャッタースラットから外れるため、磁石部がシャッタースラットに磁着したまま挟持部が開き、厚さが薄くなったシャッター用シート体保持具がシャッターケース内に巻き込まれてしまうことを防止することができる。
【００１６】
上記発明（請求項１〜４）において、前記挟持部の磁石および／または前記磁石部は、可撓性を有するマグネットシートから構成されているのが好ましい（請求項５）。挟持部の磁石および／または磁石部をこのようなマグネットシートから構成することにより、シャッター用シート体保持具が落下したときに挟持部および／または磁石部が壊れることを防止することができるとともに、落下時における人や物に対する危険性を低減させることができる。
【００１７】
上記発明（請求項１〜５）において、前記本体部は、多孔性の樹脂成形物から構成されているのが好ましい（請求項６）。本体部をこのような材料から構成することにより、シャッター用シート体保持具が落下したときに本体部が壊れることを防止することができるとともに、落下時における人や物に対する危険性を低減させることができる。
【００１８】
上記発明（請求項１〜６）において、前記シャッター用シート体保持具の正面は、情報伝達機能を有していてもよい（請求項７）。例えば、シャッター用シート体保持具の正面に広告や所定の文字・デザインが印刷等されていてもよいし、シャッター用シート体保持具の正面部に、広告物を差し替え可能に保持できるような部材が設けられていてもよい。
【００１９】
上記発明（請求項７）によれば、シャッター用シート体保持具によって保持しているシート体だけでなく、シャッター用シート体保持具自体によっても情報を伝達すること、例えば広告することが可能となる。
【００２０】
上記発明（請求項１〜７）において、前記シャッター用シート体保持具は、全体として横長の形状を有するのが好ましい（請求項８）。シャッター用シート体保持具がこのような形状を有することにより、シート体の上端部および／または下端部を確実にシャッターカーテンに固定することが可能となる。
【発明の効果】
【００２１】
本発明に係るシャッター用シート体保持具によれば、シャッターが開いたときにシャッター用シート体保持具がシャッターケース内に巻き込まれることが防止される。
【発明を実施するための最良の形態】
【００２２】
以下、本発明の一実施形態を図面に基づいて説明する。
【００２３】
図１および図２は、本発明の一実施形態に係るシャッター用シート体保持具１を示す斜視図である。シャッター用シート体保持具１は、全体として横長の略直方体状の形状を有し、本体部２と、本体部２の背面側に設けられた磁石部３と、本体部２の正面側に設けられた当接部４とを備えて構成される。
【００２４】
本体部２は、前後二分割されており、前側が第１の本体部２１、後側が第２の本体部２２となっている。第１の本体部２１における第２の本体部２２側（後側）には、マグネットシート２３が設けられており、第２の本体部２２における第１の本体部２１側（前側）には、マグネットシート２３が磁着し得る金属板２４が設けられている。マグネットシート２３および金属板２４は、それら相互に働く磁着力によってポスター等のシート体Ｓを挟持することのできる挟持部２０を構成する。
【００２５】
第１の本体部２１と第２の本体部２２とは、それらの上面に貼着された接着テープ２５によって連結されている。したがって、挟持部２０の上端部は接着テープ２５によって閉じられており、図１および図２に示すように、挟持部２０はその上端部（接着テープ２５）を支点として開閉可能となっている。
【００２６】
第１の本体部２１および第２の本体部２２を構成する材料は特に限定されるものではないが、シャッター用シート体保持具１が落下したときの安全性や耐久性を考慮すると、軽量で壊れ難い材料、例えば多孔性の樹脂成形物から構成するのが好ましい。
【００２７】
マグネットシート２３としては、合成樹脂材料に磁性粉を混入し、シート状に形成して着磁した通常のマグネットシートを使用すればよいが、シャッター用シート体保持具１が落下したときの安全性や耐久性を考慮すると、可撓性を有するものであるのが好ましい。
【００２８】
マグネットシート２３の厚さは特に限定されるものではないが、シート体Ｓを確実に挟持するに足りる磁着力を発揮できれば、薄い方が好ましい。このようにマグネットシート２３を薄くすることによって、シャッター用シート体保持具１の軽量化を図ることができ、シャッター用シート体保持具１が落下したときの安全性を高めることができる。
【００２９】
金属板２４を構成する金属材料は、マグネットシート２３が磁着し得る材料であれば特に限定されることなく、例えば、鉄、フェライト、ニッケル、コバルト、それらの合金等の強磁性体を使用することができる。金属板２４の厚さは特に限定されるものではないが、シート体Ｓを確実に挟持するに足りる磁着力を発揮できれば、薄い方が好ましい。また、金属板２４の大きさは、第２の本体部２２（の前面）の大きさよりも若干小さく構成されているのが好ましい。金属板２４をこのような構成にすることにより、シャッター用シート体保持具１の軽量化を図ることができるとともに、金属板２４のエッジで人や物を傷付けるおそれがなく、シャッター用シート体保持具１が落下したときの安全性を高めることができる。
【００３０】
なお、本実施形態では金属板２４を使用したが、金属板２４の替わりに、マグネットシート２３と磁着し得るマグネットシートを使用することもできる。
【００３１】
本体部２の高さは、挟持部２０で所望のシート体Ｓを確実に保持することができ、磁石部３でシャッターカーテンに確実に磁着することができれば、特に限定されるものではない。
【００３２】
一方、本体部２の長さは、保持すべきシート体Ｓの横幅を考慮して適宜設定すればよい。ただし、シート体Ｓの上端部および下端部の全体を挟持部２０で挟持する必要はない。
【００３３】
本体部２の背面側（第２の本体部２２の後側）に設けられた磁石部３は、シャッター用シート体保持具１を磁性体（通常はスチール）からなるシャッタースラットに磁着させることができる磁石であれば特に限定されるものではないが、本実施形態では、第２の本体部２２（の後面）の大きさと略同一の大きさのマグネットシートからなる。マグネットシートは、シャッター用シート体保持具１が落下したときの安全性や耐久性を考慮すると、可撓性を有するものであるのが好ましい。
【００３４】
磁石部３の厚さは特に限定されるものではないが、シャッター用シート体保持具１をシャッタースラットに確実に磁着させるに足りる磁着力を発揮できれば、薄い方が好ましい。このように磁石部３の厚さを薄くすることによって、シャッター用シート体保持具１の軽量化を図ることができ、シャッター用シート体保持具１が落下したときの安全性を高めることができる。
【００３５】
なお、挟持部２０の閉じられた側（図１，２中上側）を下側にしてシャッター用シート体保持具１を使用することがある場合には、挟持部２０におけるマグネットシート２３と金属板２４との磁着力（好ましくはシート体Ｓを挟持した状態の磁着力）を、磁石部３のシャッタースラットに対する磁着力よりも強く設定するのが好ましい。それぞれの磁着力をこのように設定することにより、当接部４の上端がシャッターケースの下面に当接したときに、挟持部２０が開くことなく磁石部３がシャッタースラットから外れるため、磁石部３がシャッタースラットに磁着したまま挟持部２０が開き、厚さが薄くなったシャッター用シート体保持具１がシャッターケース内に巻き込まれてしまうことを防止することができる。
【００３６】
ここで、シャッター用シート体保持具１において、本体部２の厚さと磁石部３の厚さとを加えた厚さは、シャッターケースの開口部の幅よりも大きいのが好ましい。本体部２および磁石部３の厚さをこのように設定することにより、シャッター用シート体保持具１がシャッターケース内に巻き込まれてしまうことを確実に防止することができる。
【００３７】
本実施形態において、本体部２の正面側（第１の本体部２１の前側）に設けられた当接部４は、板状の形状を有しており、当接部４の上部は、本体部２および磁石部３の上面よりも上側に突出し、当接部４の下部は、本体部２および磁石部３の下面よりも下側に突出している。
【００３８】
当接部４の正面は、情報伝達機能を有するのが好ましく、例えば、店舗や製品のロゴ、広告等が付されているのが好ましい。
【００３９】
当接部４を構成する材料および厚さは、当接部４がシャッターケースの下面に当接したときに当接部４にかかる力を本体部２に伝達できれば、特に限定されるものではない。また、シャッター用シート体保持具１が落下したときの安全性や耐久性を考慮すると、軽量で壊れ難い材料、例えば多孔性の樹脂成形物を主体として、印刷を施した樹脂シート、紙等により正面部を構成するのが好ましい。
【００４０】
当接部４の上部の本体部２上面からの突出量および当接部４の下部の本体部２下面からの突出量は、シャッターケースの下面の形状等を考慮して、シャッターカーテンが上昇したときに、シャッター用シート体保持具１において本体部２および磁石部３よりも先に当接部４がシャッターケースの下面に当接するように適宜設定すればよい。
【００４１】
ここで、シャッター用シート体保持具１の使用例（２個使用）を図３に示す。なお、ここで使用するシャッター５のシャッターカーテン５２（シャッタースラット５１）は、スチール製のものであるとする。
【００４２】
最初に、図２に示すように、一方のシャッター用シート体保持具１の本体部２における挟持部２０を開き、マグネットシート２３と金属板２４との間に所望のシート体Ｓの上端部を挿入し、挟持部２０を閉じる。そして、磁石部３をシャッターカーテン５３の所望の位置に磁着させる。同様にして、他方のシャッター用シート体保持具１を上記シャッター用シート体保持具１とは上下逆にして、本体部２における挟持部２０を開き、マグネットシート２３と金属板２４との間にシート体Ｓの下端部を挿入し、挟持部２０を閉じる。そして、シート体Ｓを張った状態で磁石部３をシャッターカーテン５２の所望の位置に磁着させる。
【００４３】
このようにしてシャッターカーテン５２に取り付けられたシート体Ｓは、シャッター用シート体保持具１の挟持部２０から取り外すこと、またはシャッター用シート体保持具１の磁石部３をシャッタースラット５１から取り外すことにより、シャッターカーテン５２からの取り外しが自在である。したがって、シート体Ｓを広告ポスターとした場合には、短い周期で広告ポスターを交換することが極めて容易である。
【００４４】
シャッター用シート体保持具１およびシート体Ｓは、シャッター５を開くときには、一旦シャッターカーテン５２から取り外す必要がある。しかしながら、シャッター用シート体保持具１をシャッターカーテン５２から取り外し忘れ、シャッター５を開いた場合、すなわちシャッターカーテン５２を上昇させた場合であっても、図４（ａ）に示すように、シート体Ｓ上側のシャッター用シート体保持具１における当接部３の上端部がシャッターケース５３の下面に当接し、それによってシャッター用シート体保持具１には下方への回転力が働き、その回転力によって図４（ｂ）に示すように磁石部３がシャッタースラット５１から外れ、シャッター用シート体保持具１（およびそのシャッター用シート体保持具１の挟持部２０が挟持しているシート体Ｓ）はシャッターカーテン５２から離脱し落下する。シート体Ｓ下側のシャッター用シート体保持具１についても、シート体Ｓ上側のシャッター用シート体保持具１と同様の動作によって、シャッターカーテン５２から離脱し落下する。
【００４５】
したがって、本実施形態に係るシャッター用シート体保持具１によれば、シャッター用シート体保持具１やシート体Ｓがシャッターケース５３内に巻き込まれることに起因するシャッターカーテン５２の巻取機構の故障が防止され、シャッターカーテン５２の落下事故等を未然に防ぐことができる。
【００４６】
以上説明した実施の形態は、本発明の理解を容易にするために記載されたものであって、本発明を限定するために記載されたものではない。したがって、上述した実施の形態に開示された各要素は、本発明の技術的範囲に属する全ての設計変更や均等物をも含む趣旨である。
【００４７】
例えば、上記シャッター用シート体保持具１において、当接部４は本体部２の正面側に板状の形状として構成されるのではなく、本体部２の正面側上部に突起部として設けられてもよい。この場合の突起部の形状は、特に限定されるものではない。
【００４８】
また、例えば、図５（ａ），（ｂ）に示すシャッター用シート体保持具１Ａのように、本体部２Ａ（第１の本体部２１Ａ，第２の本体部２２Ａ，マグネットシート２３Ａ，金属板２４Ａ）、磁石部３Ａおよび当接部４Ａはそれぞれ円形状となっており、したがってシャッター用シート体保持具１Ａは全体として円形状となっていてもよいし、また、マグネットシート２３Ａと金属板２４Ａとは離隔可能となっていてもよい。
【００４９】
このシャッター用シート体保持具１Ａにおいて、マグネットシート２３Ａと金属板２４Ａとが構成する挟持部２０Ａの磁着力は、磁石部３Ａのシャッタースラットに対する磁着力よりも強く設定するのが好ましい。それぞれの磁着力をこのように設定することにより、当接部４Ａがシャッターケースの下面に当接したときに、マグネットシート２３Ａと金属板２４Ａとが離隔する前に磁石部３Ａがシャッタースラットから外れるため、磁石部３Ａおよび本体部２２Ａがシャッターカーテンに残存してそれらがシャッターケース内に巻き込まれることを防止することができる。
【図面の簡単な説明】
【００５０】
【図１】本発明の一実施形態に係るシャッター用シート体保持具（挟持部：閉じた状態）の斜視図である。
【図２】同実施形態に係るシャッター用シート体保持具（挟持部：開いた状態）の斜視図である。
【図３】同実施形態に係るシャッター用シート体保持具の使用状態を示す正面図である。
【図４】同実施形態に係るシャッター用シート体保持具がシャッターカーテンから離脱する様子を示す側面図である。
【図５】他の実施形態に係るシャッター用シート体保持具を示す斜視図（ａ）および背面図（ｂ）である。
【符号の説明】
【００５１】
１，１Ａ…シャッター用シート体保持具
２，２Ａ…本体部
２０，２０Ａ…挟持部
３，３Ａ…磁石部
４，４Ａ…当接部
５…シャッター
５１…シャッタースラット
５２…シャッターカーテン
５３…シャッターケース
【図１】
2005030131.tif 000003
【図２】
2005030131.tif 000004
【図３】
2005030131.tif 000005
【図４】
2005030131.tif 000006
【図５】
2005030131.tif 000007